(57)【特許請求の範囲】
【請求項１】
遊技領域と非遊技領域とを含む遊技盤と、前記遊技盤の前面側に設けられかつ前記遊技領域を視認可能にする開口部を有するガラス枠と、前記遊技盤を着脱可能に後側から収容する収容枠と、を含む遊技機に設けられる遊技機用飾り部材であって、
前記収容枠と一体に設けられたベース部と、
前記ベース部に着脱自在に設けられかつ前記非遊技領域上に位置付けられ、遊技機の前方側に膨出する膨出部が形成された飾り本体と、を含み、
前記ベース部には、前記ベース部の前面から背面まで貫通するベース部貫通孔が形成され、
前記遊技盤には、前記遊技盤の前面から背面まで貫通し、かつ前記ベース部貫通孔と向かい合う位置に遊技盤貫通孔が形成され、
電気的接続を形成するためのコネクタが前記ベース部貫通孔に適合するように設けられた電飾基板が、前記膨出部の後ろ側に配置され、
前記コネクタは、前記ベース部貫通孔に納まるように配置され、
前記飾り本体の前記遊技領域側の端部は、前記ベース部の前記遊技領域側の端部よりも遊技領域側に伸長し、かつ、
前記ベース部は、前記遊技盤の前方方向への移動を制限することを特徴とする遊技機用飾り部材。
【請求項２】
前記飾り本体は、前記遊技盤の前面側から着脱可能に、前記ベース部に設けられた請求項１に記載の遊技機用飾り部材。
【発明の詳細な説明】
【０００１】
【発明の属する技術分野】
本発明は、パチンコ機やアレンジボール機等の遊技機に設けられる遊技機用飾り部材に関する。
【０００２】
【従来の技術】
パチンコ機やアレンジボール機等の遊技機は、遊技球を媒体とした遊技が実行される遊技盤と、この遊技盤を着脱自在に収容枠と、を含む。この遊技盤には、遊技球を案内するための円弧状のレールが設けられており、レールの内側の領域を遊技領域とされ、レールの外側の領域を非遊技領域とされる。
【０００３】
上述した遊技領域には、遊技球の移動方向等を変化させる遊技釘や風車や遊技球を受けとめる入賞口やアウト口等が設けられている。また、非遊技領域は、遊技の進行を進めたり遊技の結果を定めたりする領域ではないが、この領域を有効に活用せんとして、遊技機の装飾性を高めるために用いられてきた。
【０００４】
上述した装飾性を高めるために、非遊技領域には、飾り部材が設けられることが多い。この飾り部材は、プラスチック等の樹脂からなり、種々の配色で彩られたり、その表面に文字や図形等を表したり、また、凹凸形状を有するものにしたりすることにより、装飾性を高めんとなされていた。
【０００５】
さらに、装飾性を高めるべく、飾り部材の背後に発光素子やランプ等の発光部を設け、この発光部を点灯させたり点滅させたりすることも試みられていた。また、発光部を設ける構成とした場合には、装飾性を単に高めるのみならず、遊技の進行や結果に伴う演出や報知をするためにも飾り部材は用いられてきた。
【０００６】
【発明が解決しようとする課題】
従来の遊技機においては、上述した如き飾り部材は、飾り部材を支持するベース部とともに遊技盤に設けられていたが故に、遊技盤を新たなものにせんとして遊技盤を交換する際には、飾り部材とともに交換されることとなり、経済性の悪いものとなっていた。
【０００７】
また、上述した如き発光部を設けた飾り部材の場合には、遊技盤の交換に伴って、飾り部材のみならず発光部や回路部や配線部材を含めて交換せざるを得ず、極めて経済性が悪くなっていた。
【０００８】
更に、近年においては、飾り部材を遊技盤に設けるのではなく、収容枠の前面側に配設されるガラス枠に飾り部材を設ける遊技機も現れてきている。しかしながら、このような飾り部材の取り付け方を採用した場合には、飾り部材の重量がガラス枠に加わることとなる。ガラス枠は、遊技機に開閉用ヒンジ部等の支持部材により片持ち状で遊技機に支持されており、遊技機のメンテナンスや、釘調製、遊技盤のトラブル等で開閉しなければならない頻度が高いものである。このため、ガラス枠に飾り部材を設ける構成とした場合には、ガラス枠やガラス枠の支持部材を強化すべく、新たな構造にしたり、これまでのものと異なる材料を採用したりする必要が生じていた。
【０００９】
更にまた、飾り部材に発光部を設けた場合には、発光部や回路部をもガラス枠に設ける必要があるがため、ガラス枠全体の重量がより増加することとなり、開閉用ヒンジ部等の強度をより一層高めたりする必要が生じた。このため、ガラス枠に飾り部材を設ける構成とした遊技機は、結果として遊技機全体のコストが嵩むという問題が生じるものであった。
【００１０】
また、飾り部材の背後に発光部を設けた遊技機の場合には、発光部に電力を供給するための導電線で遊技機本体と発光部とを電気的に接続する必要がある。このため、ガラス枠に飾り部材を設ける構成とした場合には、導電線を接続した状態でもガラス枠を円滑に開閉できるようにするために、導電線の配線に予め余裕を持たせて接続する必要があるとともに、目に触れにくい箇所に配線したりする必要が生じ、取り扱いに特別の配慮を要するものとなり、生産性や作業性を低下させるものであった。
【００１１】
本発明は、上述した如き課題に鑑みてなされたものであり、遊技盤の交換における経済性を高めることができるとともに、ガラス枠の開閉時において特別の注意を払うことなく作業を進めることができる遊技機用飾り部材を提供することにある。
【００１２】
【課題を解決するための手段】
以上のような目的を達成するために、本発明における遊技機用飾り部材は、収容枠と一体に設けられたベース部に着脱自在に設けられる飾り本体からなることを特徴とするものである。
【００１３】
即ち、飾り本体が、収容枠と一体に設けられたベース部に着脱自在に設けられ得るものは、本発明の概念に含まれるものである。
【００１４】
より具体的には、本発明は以下のような遊技機用飾り部材を提供する。
【００１５】
（１）遊技領域と非遊技領域とを含む遊技盤と、前記遊技盤の前面側に設けられかつ前記遊技領域を視認可能にする開口部を有するガラス枠と、前記遊技盤を着脱可能に後側から収容する収容枠と、を含む遊技機に設けられる遊技機用飾り部材であって、
前記収容枠と一体に設けられたベース部と、
前記ベース部に着脱自在に設けられかつ前記非遊技領域上に位置付けられ、遊技機の前方側に膨出する膨出部が形成された飾り本体と、を含み、
前記ベース部には、前記ベース部の前面から背面まで貫通するベース部貫通孔が形成され、
前記遊技盤には、前記遊技盤の前面から背面まで貫通し、かつ前記ベース部貫通孔と向かい合う位置に遊技盤貫通孔が形成され、
電気的接続を形成するためのコネクタが前記ベース部貫通孔に適合するように設けられた電飾基板が、前記膨出部の後ろ側に配置され、
前記コネクタは、前記ベース部貫通孔に納まるように配置され、
前記飾り本体の前記遊技領域側の端部は、前記ベース部の前記遊技領域側の端部よりも遊技領域側に伸長し、かつ、
前記ベース部は、前記遊技盤の前方方向への移動を制限することを特徴とする遊技機用飾り部材。
【００１６】
上述した（１）の発明によれば、遊技機用飾り部材は、「前記収容枠と一体に設けられたベース部と、前記ベース部に着脱自在に設けられかつ前記非遊技領域上に位置付けられる飾り本体と、を含む」ので、遊技盤を新たなものに交換する際においても、飾り部材や発光部や回路部をそのまま用いて有効に活用することができるが故に、遊技盤の交換における経済性を高めることができるとともに、ガラス枠に至る配線を要しないので、生産性を高めることができ、ガラス枠の開閉時において特別の注意を払うことなく作業を進めることができるので、作業性をも高めることができる。
【００１７】
また、（１）の発明は、「前記ベース部の前記遊技領域側の端部と前記飾り本体の前記遊技領域側の端部とのいずれか一方は、遊技領域側に伸長」することも特徴とする。具体的には、飾り本体の内側端部が、ベース部の内側端部を超えて遊技領域側に伸長することとしてもよく、ベース部の内側端部が、飾り本体の内側端部を超えて遊技領域側に伸長することとしてもよい。
【００１８】
飾り本体の内側端部が、ベース部の内側端部を超えて遊技領域側に伸長することとした場合には、ベース部の外観上の仕上げ状態が低い場合であっても、飾り本体によってベース部を覆い隠すことができるので、遊技機の見栄えを良くすることができる。また、このようにした場合には、ベース部の外観上の仕上げ状態を高くする必要がなくなるので、遊技機全体の製造コストを低減することもできる。
【００１９】
一方、ベース部の内側端部が、飾り本体の内側端部を超えて遊技領域側に伸長することとした場合には、ベース部の外観上の仕上げ状態を高めたときには、ベース部を含めて遊技機の装飾性を高めることができるとともに、飾り本体を取り付ける際の位置決めの精度を高める必要がなくなり生産性を高めることもできるのである。
【００２０】
更に、「前記ベース部は、前記遊技盤の前方方向への移動を制限する」ので、遊技盤を収容枠に対して的確に位置決めすることができ、遊技機を組立てるときの生産性や、メンテナンス等の作業時における作業性を高めることができるのである。
【００２１】
尚、「飾り本体」とは、遊技機を視覚的に装飾するものと認識し得るものを示す概念であり、着色されたプラスチック等の樹脂製のものやガラス製のものには限られず、また、発光部を有するか否かをも問うものではない。さらに、液晶ディスプレイからなる画像表示装置等の表示装置や、駆動手段によって可動し得る飾りをも含むものであり、遊技機を視覚的に「飾る」ものと認識し得るものは、「飾り本体」に含まれる。
【００２２】
特に、液晶ディスプレイ等の画像表示装置を用いた場合には、遊技盤の交換時において遊技機に既に設けられていた画像表示装置を継続して用いることができるので、遊技盤の交換における経済性をより一層高めることが可能となる。また、上述した如き構成としたことにより、画像表示装置は、遊技盤にもガラス枠にも設けられないので、遊技盤の重量やガラス枠の重量を増加させることがなく、遊技盤の交換作業を容易にすることもできる。
【００２３】
また、ベース部を「収容枠と一体に設け」る具体的な手段としては、例えば、ベース部と収容枠とを樹脂等で一体に成形するようにしても良い。また、ベース部が、収容枠と別体で成形された場合であっても、遊技機として組立てられたときには、一体と認識できる場合、例えば、ベース部が収容枠に接着等で固定されてベース部として着脱不可能な状態となって一体と認識できるような場合をも含む。
【００２４】
このように収容枠とベース部とを一体に設ける構成としたことにより、収容枠に遊技盤を収容する際において、遊技盤の遊技領域とベース部との位置関係を的確に定めることができ、その結果として、飾り部材の位置を遊技盤に対して的確に定めることができるとともに、外観性を向上させることもできる。
【００２５】
更に、「非遊技領域」とは、遊技が実行されて遊技結果が定められる遊技領域以外の領域を示す概念である。また、遊技領域以外の領域でありかつ、ガラス枠に形成された開口部から視認可能な領域としてもよい。例えば、弾球遊技機である場合には、「遊技領域」は、打球が遊技時に移動し得て遊技が実行される領域であり、外レールの内側の領域を示すこととなる。一方、「非遊技領域」は、打球が遊技時に移動し得ない領域であり、外レールの外側の領域を示すこととなる。更に、外レールの外側の領域でありかつガラス枠に形成された開口部から視認可能な領域としてもよい。
【００２６】
【発明の実施の形態】
以下に、本発明の実施例について図面に基づいて説明する。
【００２７】
本発明に係る遊技機の一例である弾球遊技機の概観を示す図を図１に示す。
【００２８】
この弾球遊技機１０には、遊技機の外郭保持枠をなす外枠１２と、この外枠１２に開閉自在に軸支される前枠１４とが設けられており、前枠１４には、ガラス扉１６や、遊技球を受けるための上皿１８及び下皿２０や、打球ハンドル２２や、遊技盤２４を収容する収容枠（後述する図２において示す６０）等の各種の部材が設けられている。
【００２９】
ガラス扉１６は、ガラス枠５０からなり、前枠１４の左側の側部に設けられている蝶番（図示せず）により片持ち状に支持され、遊技機１０の前側で開閉自在にされている。ガラス扉１６には開口部１７が形成されており、後述する遊技領域２８を視認可能にする。尚、ガラス扉１６には開口部１７の大きさに適合するガラス（後述する図５乃至図７において示す５４）が設けられている。また、外枠１２の左側の上下には一対のヒンジ部５２が設けられており、前枠１４は、ヒンジ部５２によって左側端部が片持ち状に支持され、遊技機１０の前側で開閉自在にされている。
【００３０】
遊技盤２４には、外レール２６により区画された遊技領域２８が設けられており、遊技領域２８の略中央部には、図柄の画像等の種々の画像を表示する画像表示装置３０が設けられている。さらに、遊技領域２８には、図柄の変動開始の条件を定める特定入賞口３２や、遊技が大当たりとなったときに開閉する大入賞口３４や、その他複数の一般入賞口３６及び３８や、遊技球の落下に影響を及ぼす風車４０及び４２や、多数の遊技釘（図示せず）や、アウト口４４も設けられている。
【００３１】
上述した打球ハンドル２２を遊技者が回動操作したときには、上皿１８から打球発射部（図示せず）へ遊技球が１個ずつ供給され、遊技球は、打球ハンドル２２の回動操作に応じた強度で、打球発射装置（図示せず）によって遊技領域２８に打球として発射される。
【００３２】
遊技領域２８に発射された打球は、上述した風車や遊技釘との接触を繰り返して移動方向を変えながら落下し、上述した各種の入賞口３２〜３８やアウト口４４に流入することとなる。打球が、いずれかの入賞口３２〜３８に入賞したときには、所定数の遊技球が賞球として上皿１８又は下皿２０に払い出される。
【００３３】
また、入賞口のうちの特定入賞口３２に打球が入賞したときには、画像表示装置３０に表示された図柄は変動を開始し、所定の動画像や図柄の変動態様が所定時間だけ表示された後、図柄の変動を停止する。図柄の変動を停止したときに、画像表示装置３０に表示された図柄の停止態様が特定のものとなった場合、例えば、図柄が示す数値が１〜９のいわゆるぞろ目となった場合には、遊技は大当たりとなる。遊技が大当たりとなったときには、画像表示装置３０において所定のデモ画像が表示された後、上述した大入賞口３４が開放状態となり、打球が大入賞口３４に流入可能となる。
【００３４】
この大入賞口３４の開放状態は、大入賞口３４に打球が所定数入賞するまで、例えば１０個入賞するまで、又は開放状態となってから所定時間経過するまで、例えば３０秒経過するまで継続する。その後、大入賞口３４は閉鎖状態となる。尚、大入賞口３４が開放状態となっている間に、大入賞口３４に設けられた特定領域（図示せず）を打球が通過していたときには、大入賞口３４を一旦閉鎖状態とした後に再び開放状態とする。この大入賞口３４の開放状態と閉鎖状態との動作は、複数回、例えば１５回に至るまで繰り返され、その後、大入賞口３４は閉鎖状態となる。
【００３５】
上述した前枠１４の詳細を、図２に示す。
【００３６】
前枠１４の下方には、遊技球を受けるための上皿１８を開閉自在に取り付けるためのヒンジ部１８ｔや、下皿２０を取り付けるための取付部２０ｔや、打球ハンドル２２を取り付けるための取付部２２ｔが設けられており、また、前枠１４には、遊技盤２４を収容するための収容枠６０が一体に形成されている。
【００３７】
この収容枠６０は、遊技盤２４が収容される収容空間部Ｈを有しており、この収容枠６０には遊技機用飾り部材７０が設けられている。収容枠６０には、正面から見て右上コーナ部には右上ベース部６２が、右下コーナ部には右下ベース部６４が、左上コーナ部には左上ベース部６６が、収容枠６０と一体に設けられている。
【００３８】
右上ベース部６２と、右下ベース部６４と、左上ベース部６６とを、収容枠６０に一体に設ける具体的な手段としては、例えば、ベース部６２、６４及び６６と収容枠６０とを樹脂等で予め一体に成形することとしてもよい。また、ベース部６２、６４及び６６が、収容枠６０と別体で成形するような場合であっても、前枠１４として組立てられたときには、これらが一体と認識できる場合、例えば、ベース部６２、６４及び６６が収容枠６０に接着剤等で固定されて、ベース部として着脱不可能な状態となって一体と認識できるような場合をも含む。
【００３９】
上述した右上ベース部６２の前側には、右上飾り本体７２が着脱自在に設けられ、右下ベース部６４の前側には、右下飾り本体７４が着脱自在に設けられ、左上ベース部６６の前側には、左上飾り本体７６が着脱自在に設けられる。尚、この飾り本体７２、７４及び７６をベース部６２、６４及び６６に取り付ける具体的な要領は後述する。
【００４０】
上述した遊技盤２４は、図３に示す如く、略半円形の外レール２６と内レール２７を有しており、外レール２６又は内レール２７の内側の領域が遊技領域２８と称され、外レール２６又は内レール２７の外側の領域、即ち打球が遊技時に移動し得ない領域が、非遊技領域２９と称される。
【００４１】
遊技盤２４の左下側においては、外レール２６と内レール２７とが平行して設けられている領域があり、外レール２６と内レール２７とにより挟まれる隙間８０が打球の通路として構成されている。上述した如く、打球発射装置（図示せず）から発射された遊技球は、外レール２６と内レール２７とによって案内されつつ隙間８０を移動して遊技領域２８に導入されるのである。
【００４２】
尚、従前の遊技盤２４の非遊技領域２９においては、本発明における右上飾り本体７２、右下飾り本体７４及び左上飾り本体７６に相当する飾り部材が設けられていたが、本発明においては、これらの飾り部材を遊技盤２４に設けることとはせずに、収容枠６０と一体になったベース部６２、６４及び６６に設けることとした。
【００４３】
以下においては、収容枠６０と一体になったベース部６２、６４及び６６に設けられる右上飾り本体７２、右下飾り本体７４及び左上飾り本体７６について図４乃至図８に基づき説明する。
【００４４】
尚、図４は、右上飾り部材をベース部から取外した状態を示す正面図であり、図５は、右上飾り部材を水平方向に切断したとしたときの部分平断面図である。また、図６は、右上飾り部材を垂直方向に切断したとしたときの部分側断面図であり、図７は、右下飾り部材を垂直方向に切断したとしたときの部分側断面図であり、図８は、左上飾り部材の正面図である。また、この図５乃至図７のいずれの図においても、図の右側が遊技機１０の前側を示し、図面の左側が遊技機１０の後側を示す。更に、図５は、後述する如く、遊技盤２４が収容枠６０に収容される前の状態を示す図である。
【００４５】
〔右上ベース部６２及び右上飾り本体７２〕
図４に示す如く、収容枠６０の収容空間部Ｈの右上コーナ部に一体化される右上ベース部６２には、右上ベース部６２の前面に着脱自在に設けられ得る右上飾り本体７２と、右上飾り本体７２と右上ベース部６２との間に内装される電飾基板１２０と、が設けられている。右上ベース部６２は、本実施例の場合においては、樹脂製の収容枠６０を成形する際に、収容枠６０と一体成形されている。
【００４６】
また、右上飾り本体７２は、光を透過する着色樹脂等からなり、右上ベース部６２の形状と略同一か、または右上ベース部６２より僅かに大きめの大きさに形成されている。図４に示す如く、右上飾り本体７２の上縁部と側縁部とに、右上ベース部６２の取付穴１２４にネジ留め等により固定するための取付穴１００が設けられている。
【００４７】
図４における破線矢印で示す如く、右上飾り本体７２の取付穴１００と右上ベース部６２の取付穴１２４とを介して、右上飾り本体７２は右上ベース部６２にネジ留め等により取り付けられる。右上飾り本体７２が、右上ベース部６２に取り付けられたときには、図５及び図６に示す如く、右上飾り本体７２の端部１１０が、右上ベース部６２の前側の表面に当接して、右上飾り本体７２は、右上ベース部６２に固定されることとなる。
【００４８】
右上飾り本体７２が、右上ベース部６２に取り付けられたときには、右上飾り本体７２の内側端部である円弧状端部１０２及び１０４が、右上ベース部６２の内側端部である円弧状端部１２６を超えて遊技領域２８側に伸長するようになされている。
【００４９】
このように、右上飾り本体７２の円弧状端部１０２及び１０４が、右上ベース部６２の円弧状端部１２６よりも伸長するようにしたので、右上ベース部６２の外観上の仕上げ状態が低い場合であっても、右上飾り本体７２によって右上ベース部６２を覆い隠すことができるので、遊技機の見栄えを良くすることができる。また、このようにした場合には、右上ベース部６２の外観上の仕上げ状態を高くする必要がなくなるので、遊技機全体の製造コストを低減することもできる。
【００５０】
図４に示す如く、右上飾り本体７２の円弧状端部１０２及び１０４の略中央部には、略Ｕ字型の保持部材１０６を介して返しゴム１０８が取り付けられている。尚、返しゴム１０８は、打球発射装置から発射された遊技球を遊技領域２８の下方に案内すべく遊技球を跳ね返す役目をするものであり、従前においては、遊技盤２４側に取り付けられていたものを、本発明では右上飾り本体７２と一緒に収容枠６０側に設けることとしたものである。
【００５１】
図５や図６に示す如く、遊技盤２４を収容枠６０の裏側から収容したときには、遊技盤２４の前面が、右上ベース部６２の裏面に当接することとなり、遊技盤２４がそれ以上前方に移動できないようにされる。このとき、返しゴム１０８は、図３に示す外レール２６の終端部２５に位置付けられることとなる。また、右上飾り本体７２の円弧状端部１０２は、外レール２６の略直上に位置し、右上飾り本体７２の円弧状端部１０４の端部（図示せず）は、図３に示す内レール２７の終端部２３と整合し、右上飾り本体７２の円弧状端部１０４は、内レール２７の延長部としてなす。
【００５２】
図４に示した右上飾り本体７２と右上ベース部６２との間に内装される電飾基板１２０には、発光ダイオード等の発光部１２２や、発光部１２２に電力を供給するための電気配線１３２を接続するためのコネクタ１３０が設けられている。また、右上ベース部６２には、電気配線１３２を通すための配線穴１２８が設けられている。
【００５３】
図５及び図６に示す如く、右上ベース部６２には、リブ１３４が遊技機１０の前方向に突出するように形成されている。電飾基板１２０が、右上ベース部６２に取り付けられたときには、リブ１３４により、電飾基板１２０と右上ベース部６２との間に間隙が形成され、電飾基板１２０と右上ベース部６２とにおいて電気的な接続が生じないようにすることができるのである。
【００５４】
また、図５及び図６に示すように、右上飾り本体７２には、遊技機１０の前方側に膨出する膨出部１１２が設けられており、この膨出部１１２の後側には、電飾基板１２０に設けられたコネクタ１３０や発光部１２２や電気配線１３２が位置付けられる。
【００５５】
図３に示す如く、遊技盤２４の上側の左右には、電気配線１３２を通すための配線穴５６が形成されており、また、図４に示す如く、右上ベース部６２の略中央部には、配線穴１２８が形成されている。遊技盤２４が収容枠６０に収容されたときには、図５及び図６に示すように、遊技盤２４の配線穴５６と、右上ベース部６２の配線穴１２８とが、連通することとなる。このようにすることにより、コネクタ１３０に接続された電気配線１３２を、遊技盤２４を介して制御装置（図示せず）に接続することができるのである。
【００５６】
尚、電飾基板１２０に設けられるコネクタを、右上ベース部６２の配線穴１２８の位置に適合するように、図５の破線で示す如く、コネクタ１３８として設けることとしてもよい。このようにすることにより、遊技盤２４の配線穴５６と、右上ベース部６２の配線穴１２８とが、連通したときには、コネクタ１３８は、遊技盤２４の配線穴５６の位置にも適合することとなり、電気配線１３２の配線処理を容易にすることができるのである。
【００５７】
遊技盤２４が裏側から収容枠６０に収容されて、遊技盤２４の前面が右上ベース部６２の裏面１３６に当接する直前においては、図５に示す如き状態となり、遊技盤２４の前面が右上ベース部６２の裏面１３６に当接したときには、図６に示す如き状態となる。遊技盤２４の前面が右上ベース部６２の裏面に当接したときには、右上ベース部６２は、遊技盤２４が遊技機１０の前方にそれ以上移動しないように遊技盤２４の移動を阻むこととなり、遊技盤２４を収容枠６０に対して的確に位置決めすることができるのである。
【００５８】
このようにすることのより、「前記ベース部は、前記遊技盤の前方方向への移動を制限する」ことをなし得るのである。
【００５９】
尚、収容枠６０にも、当接部１４０が設けられており、右上ベース部６２のみならず、収容枠６０でも遊技盤２４を支持することができ、右上ベース部６２の厚さが薄いような場合であっても、遊技盤２４を的確に支持することができるのである。
【００６０】
図６に示すように、遊技盤２４が収容枠６０に収容されて、遊技盤２４の前面が右上ベース部６２の裏面１３６に当接したときには、遊技盤２４の前側に右上ベース部６２が位置し、ベース部６２の前側に電飾基板１２０が位置し、電飾基板１２０の前側に右上飾り本体７２が位置し、右上飾り本体７２の前側にガラス扉１６に設けられている２枚のガラス５４が位置することとなる。
【００６１】
〔右下ベース部６４及び右下飾り本体７４〕
図２に示した如く、収容枠６０の右下側には右下ベース部６４が、収容枠６０に一体に設けられており、ベース部６４には、遊技機用飾り部材７０の右下飾り本体７４が設けられている。遊技盤２４が裏側から収容枠６０に収容されて、遊技盤２４の前面が右下ベース部６４の裏面１３６′に当接したときには、図７に示す如き状態となる。
【００６２】
図７に示す如く、収容枠６０の収容空間部Ｈの右下コーナ部に一体化された右下ベース部６４には、右下ベース部６４の前面に着脱自在に設けられ得る右下飾り本体７４と、右下飾り本体７４と右下ベース部６４との間に内装される電飾基板１２０′と、が取付けられている。尚、図７は、右下ベース部６４と右下飾り本体７４とを垂直方向に切断した部分的側断面図である。
【００６３】
この右下飾り本体７４も、右上飾り本体７２と同様に、右下ベース部６４の形状とほぼ同一か、または右下ベース部６４より僅かに大きめの大きさにされ、右下飾り本体７４を右下ベース部６４に取り付けたときには、内側の円弧状端部が、右下ベース部６４の円弧状端部を超えて遊技領域側に伸長すようになされている。
【００６４】
遊技盤２４を収容枠６０の収容空間部Ｈに収容したときには、遊技盤２４の前面が、右下ベース部６４の裏面に当接して、遊技盤２４がそれ以上前方に移動できないようにされる。このとき、右下飾り本体７４の内側端部である円弧状端部（図示せず）は、内レール２７の外側面に当接することとなり、内レール２７との間に隙間が生じないようになされている。
【００６５】
この右下飾り本体７４も光を透過する着色樹脂等から成形されるとともに、膨出部１１２′が形成されており、膨出部１１２′の後側には、電飾基板１２０′に設けられた発光部１２２′等が位置付けられる。
【００６６】
〔左上ベース部６６及び左上飾り本体７６〕
上述した図２に示す如く、収容枠６０の左上側には左上ベース部６６が、収容枠６０に一体に設けられており、ベース部６６には、遊技機用飾り部材７０の左上飾り本体７６が設けられている。
【００６７】
図８に示す如く、収容枠６０の収容空間部Ｈの左上コーナ部に一体化された左上ベース部６６には、左上ベース部６６の前面に着脱自在に設けられ得る左上飾り本体７６と、左上飾り本体７６と左上ベース部６６との間に内装される電飾基板１２０″と、が取付けられている。
【００６８】
この左上飾り本体７６も、左上ベース部６６の形状より僅かに大きめの大きさにされ、左上飾り本体７６を左上ベース部６６に取り付けたときには、左上飾り本体７６の内側の円弧状端部１０２″が、左上ベース部６６の円弧状端部１２６″を超えて遊技領域側に伸長すようになされている。
【００６９】
遊技盤２４を収容枠６０の収容空間部Ｈに収容したときには、左上飾り本体７６の内側の円弧状端部１０２″が外レール２６の外側面に当接して、外レール２６との間に隙間が生じないようにしている。
【００７０】
また、この左上飾り本体７６の場合も、光を透過する着色樹脂等から成形されるとともに、膨出部１１２″が形成されており、膨出部１１２″の後側には、電飾基板１２０″に設けられたコネクタ１３０″や、電気配線１３２″や、発光部１２２″等が位置付けられる。左上ベース部６６が、遊技盤２４の前に移動することを阻むことについては上述したベース部６２及び６４の場合と同様である。
【００７１】
上述した飾り本体７２、７４及び７６は、遊技の進行に伴って発光部１２２を点灯させたり点滅させたりすることにより遊技機１０を装飾する。
【００７２】
尚、上述した実施例では、飾り本体７２、７４及び７６の内側の円弧状端部を、ベース部６２、６４及び６６の内側の円弧状端部よりも遊技領域側に伸長するようにした。このようにしたことにより、右上ベース部６２、６４及び６６の外観上の仕上げ状態が低い場合であっても、右上飾り本体７２、７４及び７６によって右上ベース部６２、６４及び６６を覆い隠すことができるので、遊技機の見栄えを良くすることができる。また、右上飾り本体７２、７４及び７６によって右上ベース部６２、６４及び６６を覆い隠すことができるので、右上ベース部６２、６４及び６６の外観上の仕上げ状態を高くする必要がなくなり、遊技機全体の製造コストを低減することもできる。
【００７３】
一方、ベース部６２、６４及び６６の内側の円弧状端部を右上飾り本体７２、７４及び７６の円弧状端部よりも遊技領域側に伸長することとしてもよい。このようにした場合に、ベース部６２、６４及び６６の外観上の仕上げ状態を高めたときには、ベース部６２、６４及び６６を含めて遊技機の装飾性を高めることができるとともに、右上飾り本体７２、７４及び７６を取り付ける際の位置決めの精度を高める必要がなくなり生産性を高めることもできるのである。
【００７４】
このようにすることにより、「前記ベース部の前記遊技領域側の端部と前記飾り本体の前記遊技領域側の端部とのいずれか一方は、遊技領域側に伸長すること」をなし得るのである。
【００７５】
上述した如く、本発明においては、飾り本体７２、７４及び７６の各々を遊技盤２４に設けることとはせずに、収容枠６０と一体に設けられたベース部６２、６４及び６６に設ける構成とした。
【００７６】
上述した如き構成としたことにより、遊技機用飾り部材は、「前記収容枠と一体に設けられたベース部と、前記ベース部に着脱自在に設けられかつ前記非遊技領域上に位置付けられる飾り本体と、を含む」ことをなし得る。これにより、遊技盤を新たなものに交換する際においても、飾り部材や発光部や回路部をそのまま用いて有効に活用することができるが故に、遊技盤の交換における経済性を高めることができるとともに、ガラス枠に至る配線を要しないので、ガラス枠の開閉時において特別の注意を払うことなく作業を進めることができる。
【００７７】
また、「前記飾り本体は、前記非遊技領域上に位置付けられる」こともなし得る。このような構成としたことにより、非遊技領域を有効に活用することができ、遊技の進行や結果に伴う演出や、遊技の進行状況や結果を報知をすることができるとともに、遊技機の装飾性を高めることができる。
【００７８】
更に、飾り部材を着脱可能に設けたことにより、遊技盤が交換される際に、遊技盤に合わせたものに変更することも可能である。
【００７９】
尚、上述した如き実施例においては、「飾り本体」が、着色されたプラスチック等の光を透過し得る樹脂性のものである場合を示したが、液晶ディスプレイからなる画像表示装置等の表示装置や、駆動手段によって可動し得る飾りをも含むものであり、遊技機を視覚的に「飾る」ものと認識し得るものは、「飾り本体」に含まれる。
【００８０】
特に、液晶ディスプレイ等の画像表示装置を用いた場合には、遊技盤の交換時において遊技機に既に設けられていた画像表示装置を継続して用いることとなるので、遊技盤の交換における経済性をより一層高めることが可能となる。また、遊技盤にもガラス枠にも画像表示装置が設けられないので、遊技盤の重量やガラス枠の重量を増加させることがなく、遊技盤の交換作業を容易にすることもできる。
【００８１】
【発明の効果】
本発明によれば、遊技盤の交換作業における作業性を高めることができるとともに、ベース部の外観上の仕上げ状態を高くする必要がなくなり、遊技機全体の製造コストを低減することもできる。
【図面の簡単な説明】
【図１】本発明に係る弾球遊技機の概観を示す正面図である。
【図２】弾球遊技機の前枠の正面図である。
【図３】弾球遊技機の遊技盤の正面図である。
【図４】右上飾り部材をベース部から取外した状態を示す正面図である。
【図５】右上飾り部材を水平方向に切断したとしたときの部分的平断面図である。
【図６】右上飾り部材を垂直方向に切断したとしたときの部分的側断面図である。
【図７】右下飾り部材を垂直方向に切断したとしたときの部分的側断面図である。
【図８】左上飾り部材の正面図である。
【符号の説明】
１０  遊技機
１７  開口部
２４  遊技盤
２８  遊技領域
２９  非遊技領域
５０  ガラス枠
６０  収容枠
６２、６４、６６  ベース部
７０  遊技機用飾り部材
７２、７４、７６  飾り本体
【図１】
0003896039.tif 000002
【図２】
0003896039.tif 000003
【図３】
0003896039.tif 000004
【図４】
0003896039.tif 000005
【図５】
0003896039.tif 000006
【図６】
0003896039.tif 000007
【図７】
0003896039.tif 000008
【図８】
0003896039.tif 000009